(57)【要約】【課題】コンテンツを記録して転送する際の使い勝手を一段と向上させる。【解決手段】特定の音声データをダウンロードすることを予約する予約情報を生成し、この予約情報に従って、特定の音声データのダウンロードを開始し、特定の音声データのダウンロードが完了すると、このダウンロードが完了した音声データをハードディスクドライブ３１から読み出して、通信可能に接続されている携帯型再生装置１４に自動的に転送するようにしたことにより、予約情報を生成しておけば、音声データのダウンロード開始から転送までの処理を全て自動で行うことができ、かくして、音声データをダウンロードして転送する際の使い勝手を一段と向上させることができる。【選択図】図７
2007213772.tif 000002
【特許請求の範囲】
【請求項１】
情報処理装置に対して、
特定のコンテンツを記録することを予約する予約情報を生成する予約情報生成ステップと、
上記予約情報に従って、上記特定のコンテンツの記録媒体への記録を開始する記録開始ステップと、
上記特定のコンテンツの上記記録媒体への記録が完了すると、上記記録媒体から読み出した上記特定のコンテンツを、通信可能に接続されている外部機器に対して自動的に転送するコンテンツ転送ステップと
を実行させるための記録転送プログラム。
【請求項２】
上記記録開始ステップにおいて、上記予約情報に示される設定時刻になったことを検出すると、上記特定のコンテンツの記録媒体への記録を開始する
ことを特徴とする請求項１に記載の記録転送プログラム。
【請求項３】
上記予約情報には、第１のコンテンツと第２のコンテンツとを設定時刻に記録することが示され、
上記コンテンツ転送ステップでは、上記第１のコンテンツの上記記録媒体への記録が完了すると、続けて上記第２のコンテンツの上記記録媒体への記録を開始すると共に、上記記録媒体から読み出された上記第１のコンテンツの上記再生装置への転送を開始する
ことを特徴とする請求項２に記載の記録転送プログラム。
【請求項４】
上記コンテンツ転送ステップの前に、上記外部機器が通信可能に接続されているか否かを検出する外部機器検出ステップを実行させる
ことを特徴とする請求項１に記載の記録転送プログラム。
【請求項５】
上記予約情報生成ステップでは、上記特定のコンテンツの取得要求を定期的に外部サーバに送信することを示す情報を上記予約情報として生成し、
上記予約情報生成ステップと上記記録開始ステップとの間に、上記予約情報に応じて、上記特定のコンテンツの取得要求を定期的に上記外部サーバに送信する取得要求送信ステップを実行させ、
上記記録開始ステップでは、上記外部サーバで上記特定のコンテンツが更新されると、上記取得要求に応じて上記外部サーバから送信される更新された上記特定のコンテンツの上記記録媒体への記録を開始する
ことを特徴とする請求項１に記載の記録転送プログラム。
【請求項６】
上記記録開始ステップでは、
上記予約情報に示される設定時刻になったことを検出すると、上記特定のコンテンツとして放送信号を受信すると共に、当該受信した放送信号の記録媒体への記録を開始する
ことを特徴とする請求項２に記載の記録転送プログラム。
【請求項７】
上記記録開始ステップでは、
上記予約情報に示される設定時刻になったことを検出すると、外部記録媒体に記録される上記特定のコンテンツの記録媒体への記録を開始する
ことを特徴とする請求項２に記載の記録転送プログラム。
【請求項８】
上記外部記録媒体は、コンパクトディスクである
ことを特徴とする請求項７に記載の記録転送プログラム。
【請求項９】
特定のコンテンツを記録することを予約する予約情報を生成する予約情報生成部と、
上記予約情報に従って、上記特定のコンテンツの記録媒体への記録を開始する記録開始部と、
上記特定のコンテンツの上記記録媒体への記録が完了すると、上記記録媒体から読み出した上記特定のコンテンツを、通信可能に接続されている外部機器に対して自動的に転送する転送部と
を具えることを特徴とする記録転送装置。
【請求項１０】
特定のコンテンツを記録することを予約する予約情報を生成する予約情報生成ステップと、
上記予約情報に従って、上記特定のコンテンツの記録媒体への記録を開始する記録開始ステップと、
上記特定のコンテンツの上記記録媒体への記録が完了すると、上記記録媒体から読み出した上記特定のコンテンツを、通信可能に接続されている外部機器に対して自動的に転送するコンテンツ転送ステップと
を具えることを特徴とする記録転送方法。
【発明の詳細な説明】
【技術分野】
【０００１】
本発明は記録転送プログラム、記録転送装置及び記録転送方法に関し、例えば、コンテンツを記録して、この記録したコンテンツを転送する際に適用して好適なものである。
【背景技術】
【０００２】
従来、コンテンツを記録して転送する記録転送装置として、例えば、ハードディスクドライブに音声データを記録してこれを再生する記録再生装置があり、この記録再生装置は、ＣＤ（Compact Disc）からコンテンツとしての音声データを読み出してハードディスクドライブに記録（リッピングとも言う）した後、このリッピングした音声データを再生し得ると共に、外部接続された携帯型再生装置に転送し得るようになされている。
【０００３】
ここで、音声データをリッピングして携帯型再生装置に転送する処理を、記録再生装置に実行させる場合、ユーザは、まず音声データをリッピングするよう指示する操作（以下、これをリッピング操作とも呼ぶ）を記録再生装置に対して行う。これにより記録再生装置が、音声データのリッピングを開始する。そして、ユーザは、記録再生装置上で、音声データのリッピングが終了したことを確認すると、次にこのリッピングした音声データを携帯型再生装置に転送するよう指示する操作（以下、これを転送操作とも呼ぶ）を記録再生装置に対して行う。これにより記録再生装置が、外部接続された携帯型再生装置に対して、リッピングした音声データを転送する。
【０００４】
ところで、実際上ユーザは、携帯型再生装置で音楽を聴くために、記録再生装置を利用して音声データをリッピングする場合が多い。そこで近年、音声データのリッピングが終了すると、自動的にこのリッピングした音声データを携帯型再生装置に転送するようにして、転送操作を省略することにより、操作を簡略化して音声データのリッピングから転送までの処理をより迅速に行う方法が提案されている（例えば、特許文献１参照）。
【特許文献１】特開２００１−２０２０８６公報
【発明の開示】
【発明が解決しようとする課題】
【０００５】
しかしながら、上述した方法であっても、記録再生装置に音声データのリッピングを開始させるには、ユーザがリッピングを開始したいときに、リッピング操作を記録再生装置に対して行う必要があり、このリッピング操作まで省略することはできなかった。換言すれば、ユーザは、記録再生装置を操作し得る状況でなければ、この記録再生装置にリッピングを開始させることができなかった。
【０００６】
ここで、ユーザがリッピングを開始したいときに行うリッピング操作を省略することができれば、音声データのリッピングから転送までの処理を全て自動化することができ、使い勝手を一段と向上させることができると考えられる。
【０００７】
本発明は以上の点を考慮してなされたもので、コンテンツを記録して転送する際の使い勝手を一段と向上させ得る記録転送プログラム、記録転送装置及び記録転送方法を提案しようとするものである。
【課題を解決するための手段】
【０００８】
かかる課題を解決するため本発明においては、特定のコンテンツを記録することを予約する予約情報を生成し、予約情報に従って、特定のコンテンツの記録媒体への記録を開始し、特定のコンテンツの記録媒体への記録が完了すると、記録媒体から読み出した特定のコンテンツを、通信可能に接続されている外部機器に対して自動的に転送するようにした。
【０００９】
これにより、予約情報を生成しておけば、コンテンツの記録を自動的に開始して、記録完了したコンテンツを自動的に外部機器に転送することができるので、コンテンツの記録開始時に行う必要があったユーザ操作を省略して、コンテンツの記録開始から転送までの処理を全て自動で行うことができる。
【発明の効果】
【００１０】
本発明によれば、特定のコンテンツを記録することを予約する予約情報を生成し、予約情報に従って、特定のコンテンツの記録媒体への記録を開始し、特定のコンテンツの記録媒体への記録が完了すると、記録媒体から読み出した特定のコンテンツを、通信可能に接続されている外部機器に対して自動的に転送するようにしたことにより、予約情報を生成しておけば、コンテンツの記録を自動的に開始して、記録完了したコンテンツを自動的に転送することができるので、コンテンツの記録開始時に行う必要があったユーザ操作を省略して、コンテンツの記録開始から転送までの処理を全て自動で行うことができ、かくして、コンテンツを記録して転送する際の使い勝手を一段と向上させ得る記録転送プログラム、記録転送装置及び記録転送方法を実現できる。
【発明を実施するための最良の形態】
【００１１】
以下図面について、本発明の一実施の形態を詳述する。
【００１２】
（１）第１の実施の形態
（１−１）概要
図１を用いて、本発明の第１の実施の形態の概要を説明する。ちなみにこの概要を説明した後、第１の実施の形態を具体的に説明する。
【００１３】
図１に示す記録転送装置１は、コンテンツを記録する記録媒体２と、特定のコンテンツを記録することを予約する予約情報を生成する予約情報生成部３と、予約情報に従って、特定のコンテンツの記録媒体２への記録を開始する記録開始部４と、特定のコンテンツの記録媒体２への記録が完了すると、記録媒体２から読み出した特定のコンテンツを、通信可能に接続されている外部機器に対して自動的に転送する転送部５とを有している。
【００１４】
このような構成により、この記録転送装置１では、予約情報を生成しておけば、コンテンツの記録を自動的に開始して、記録完了したコンテンツを自動的に外部機器に転送することができるので、コンテンツの記録開始時に行う必要があったユーザ操作を省略して、コンテンツの記録開始から転送までの処理を全て自動で行うことができる。
【００１５】
（１−２）記録転送システムの構成
次に、上述の記録転送装置１を適用した具体例である記録転送システムについて図２を用いて説明する。
【００１６】
この図２において、１０は全体として記録転送システムを示し、コンテンツである音声データを蓄積管理している音楽配信サーバ１１から、ネットワーク１２を介して配信される音声データを記録再生装置１３が受信して図示しないハードディスクドライブに記録する（すなわちダウンロードする）。さらにこの記録再生装置１３は、ハードディスクドライブに記録した音声データを、通信可能に接続された携帯型再生装置１４に転送する。そしてこの携帯型再生装置１４は、例えば、記録再生装置１３から取り外された状態で、ユーザによる再生操作が行われると、転送されてきた音声データを再生することにより、この音声データに基づく音声を、装置本体に接続されたイヤホン１５を介して出力するようになされている。また記録再生装置１３も、記録した音声データを再生することにより、この音声データに基づく音声を、装置本体に接続されたスピーカ１６を介して出力するようになされている。ちなみに、この記録再生装置１３が上述の記録転送装置１に相当する。
【００１７】
（１−３）音楽配信サーバ、記録再生装置、及び携帯型再生装置の構成
ここで、音楽配信サーバ１１、記録再生装置１３、及び携帯型再生装置１４の構成について説明する。まず図３を用いて、音楽配信サーバ１１の構成について説明する。音楽配信サーバ１１は、ＣＰＵ（Central Processing Unit）２０が、ハードディスクドライブ２１またはＲＯＭ（Read Only Memory）２２から読み出したプログラムに従って全体を統括的に制御すると共に各種処理を実行するようになされ、この各種処理で扱うデータ及びプログラムを、適宜、ＲＡＭ（Random Access Memory）２３に記憶させるようになされている。
【００１８】
実際上、音楽配信サーバ１１のＣＰＵ２０は、例えば、ネットワーク１２上の記録再生装置１３から、音声データの取得を要求する取得要求をネットワークインタフェース２４を介して受信すると、この取得要求に示される音声データをハードディスクドライブ２１から読み出し、ネットワークインタフェース２４を介して、ネットワーク１２上の記録再生装置１３に送信する。このようにして音楽配信サーバ１１は、記録再生装置１３からの取得要求に応じて、音声データを記録再生装置１３に配信するようになされている。
【００１９】
次に、図４を用いて、記録再生装置１３の構成について説明する。この図４に示すように記録再生装置１３は、ＣＰＵ３０と、ハードディスクドライブ３１、ＲＯＭ３２、ＲＡＭ３３、操作キー３４、ネットワークインタフェース３５、ＣＤドライブ３６、音声処理モジュール３７、表示コントローラ３８、及びＵＳＢ（Universal Serial Bus）インタフェース３９とが、バス４０を介して接続され、さらに表示コントローラ３８には、ディスプレイ４１が接続され、音声処理モジュール３７には、アナログ処理回路４２を介してスピーカ１６、チューナ４３及び音声入力端子４４が接続されている。ちなみに、ディスプレイ４１、スピーカ１６及びチューナ４１は、記録再生装置１３の一部であってもよいし、別途外部に接続されていてもよい。
【００２０】
そしてこの記録再生装置１３は、ＣＰＵ３０が、ハードディスクドライブ３１またはＲＯＭ３２から読み出したプログラムに従って全体を統括的に制御すると共に各種処理を実行するようになされ、この各種処理で扱うデータ及びプログラムを、適宜、ＲＡＭ３４に記憶させるようになされている。
【００２１】
実際上、このような構成でなる記録再生装置１３のＣＰＵ３０は、操作キー３４を介して、ネットワーク１２上の音楽配信サーバ１１から配信される音声データをダウンロードするよう指示する操作（以下、これをダウンロード操作とも呼ぶ）がユーザにより行われたことを認識すると、これに応じて、音声データの取得要求を、ネットワークインタフェース３５を介してネットワーク１２上の音楽配信サーバ１１に送信する。そしてＣＰＵ３０は、取得要求に応じて音楽配信サーバ１１から送信されてくる音声データを、ネットワークインタフェース３５を介して受信し、ハードディスクドライブ３１に記録する。
【００２２】
またＣＰＵ３０は、操作キー３４を介して、ＣＤドライブ３６に装填されたＣＤ４５に記録されている音声データをリッピングするよう指示する操作（リッピング操作）がユーザにより行われたことを認識すると、これに応じて、ＣＤ４５から音声データを読み出してハードディスクドライブ３１に記録する。また、このときＣＰＵ３０は、ＣＤ４５から読み出した音声データをそのままハードディスク３１に記録するばかりでなく、この音声データを音声処理モジュール３７に入力して圧縮符号化してから、ハードディスクドライブ３１に記録し得るようにもなされている。ちなみにこの場合、音声処理モジュール３７は、例えば、ＭＰ３（MPEG Audio Layer-3）、ＡＴＲＡＣ３（Adaptive Transform Acoustic Coding 3）（登録商標）などの形式で、音声データを圧縮符号化するようになされている。
【００２３】
さらにＣＰＵ３０は、操作キー３４を介して、チューナ４３で受信される放送信号を録音するよう指示する操作（以下、これを放送録音操作とも呼ぶ）がユーザにより行われたことを認識すると、これに応じて、チューナ４３で受信される放送信号に対して、アナログ処理回路４２でアナログデジタル変換処理などのアナログ処理を施した後、音声処理モジュール３７で圧縮符号化処理などのデジタル処理を施すことにより、この放送信号に基づく音声データを得、これをハードディスクドライブ３１に記録するようになされている。
【００２４】
さらにＣＰＵ３０は、操作キー３４を介して、音声入力端子４４から入力される音声信号を録音するよう指示する操作（以下、これを入力音声録音操作とも呼ぶ）がユーザにより行われたことを認識すると、これに応じて、音声入力端子４４から入力される音声信号に対して、アナログ処理回路４２でアナログデジタル変換処理などのアナログ処理を施した後、音声処理モジュール３７で圧縮符号化処理などのデジタル処理を施すことにより、この音声信号に基づく音声データを得、これをハードディスクドライブ３１に記録するようになされている。
【００２５】
このようにして、記録再生装置１３は、音楽配信サーバ１１、ＣＤ４５、チューナ４３、音声入力端子４４といった種々のソースから得られる音声データをハードディスクドライブ３１に記録するようになされている。
【００２６】
さらに記録再生装置１３のＣＰＵ３０は、操作キー３４を介して、ハードディスクドライブ３１に記録した音声データを再生するよう指示する操作が行われたことを認識すると、これに応じて、ハードディスクドライブ３１から音声データを読み出して、これを音声処理モジュール部３７に入力する。音声処理モジュール３７は、ＣＰＵ３０の制御のもと、音声データに対して、復号処理などのデジタル処理を施した後、アナログ処理回路４２でデジタルアナログ変換処理などのアナログ処理を施すことにより音声信号を得、この音声信号に基づく音声をスピーカ１６から出力する。
【００２７】
さらにＣＰＵ３０は、操作キー３４を介して、ＣＤ４５に記録されている音声データを再生するよう指示する操作が行われたことを認識すると、これに応じて、ＣＤ４５から音声データを読み出して、これを音声処理モジュール部３７に入力する。音声処理モジュール３７は、ＣＰＵ３０の制御のもと、音声データに対して、復号処理などのデジタル処理を施した後、アナログ処理回路４２でデジタルアナログ変換処理などのアナログ処理を施すことにより音声信号を得、この音声信号に基づく音声をスピーカ１６から出力する。
【００２８】
さらにＣＰＵ３０は、操作キー３４を介して、チューナ４３で受信される放送信号を再生するよう指示する操作が行われたことを認識すると、これに応じて、チューナ４３で受信される放送信号に対して、アナログ処理回路４２でアナログデジタル変換処理などのアナログ処理を施した後、音声処理モジュール３７でイコライジング処理などのデジタル処理を施すことにより、放送信号に基づく音声データを得、さらにこの音声データに対して、アナログ処理回路４２でデジタルアナログ変換処理などのアナログ処理を施すことにより、放送信号に基づく音声信号を得、この音声信号に基づく音声をスピーカ１６から出力する。
【００２９】
さらにＣＰＵ３０は、操作キー３４を介して、音声入力端子４４から入力される音声信号を再生するよう指示する操作が行われたことを認識すると、これに応じて、音声入力端子４４から入力される音声信号に対して、アナログ処理回路４２でアナログデジタル変換処理などのアナログ処理を施した後、音声処理モジュール３７でイコライジング処理などのデジタル処理を施すことにより、音声信号に基づく音声データを得、さらにこの音声データに対して、アナログ処理回路４２でデジタルアナログ変換処理などのアナログ処理を施すことにより、再度音声信号を得、この音声信号に基づく音声をスピーカ１６から出力する。
【００３０】
このようにして、記録再生装置１３は、ハードディスクドライブ３１、ＣＤ４５、チューナ４３、音声入力端子４４といった種々のソースから得られる音声データを再生し得るようにもなされている。
【００３１】
さらに記録再生装置１３のＣＰＵ３０は、操作キー３４を介して、ハードディスクドライブ３１に記録した音声データを、ＵＳＢインタフェース３９を介して接続されている携帯型再生装置１４へ転送するよう指示する操作（転送操作）が行われたことを認識すると、これに応じて、ハードディスクドライブ３１から音声データを読み出して、これをＵＳＢインタフェース３９を介して携帯型再生装置１４へ転送する。
【００３２】
このようにして、記録再生装置１３は、ハードディスクドライブ３１に記録した音声データを、通信可能に接続されている携帯型再生装置１４へ転送し得るようにもなされている。ちなみに、記録再生装置１３は、このＵＳＢインタフェース３９を介して携帯型再生装置１３へ音声データを転送するだけでなく、電力を供給し得るようにもなされている。
【００３３】
さらにＣＰＵ３０は、音声データの記録、再生、転送に関するＧＵＩ（Graphical User Interface）画面を表示コントローラ３８を介してディスプレイ４１に表示するようにもなされている。ちなみにこのＧＵＩ画面には、音声データに付加されている関連情報（例えば、音声データに基づく音楽のタイトル、アーティスト名、再生時間など）も表示されるようになされている。
【００３４】
次に図５を用いて、携帯型再生装置１４の構成について説明する。携帯型再生装置１４は、ＣＰＵ５０が、ハードディスクドライブ５１またはＲＯＭ５２から読み出したプログラムに従って全体を統括的に制御すると共に各種処理を実行するようになされ、この各種処理で扱うデータ及びプログラムを、適宜、ＲＡＭ５３に記憶させるようになされている。またこの携帯型再生装置１４は、ＵＳＢインタフェース５４を介して記録再生装置１３から供給される電力により図示しない２次電池を充電するようになされ、さらに、このＵＳＢインタフェース５４を介して記録再生装置１３から転送されてくる音声データをハードディスクドライブ５１に記録するようになされている。
【００３５】
実際上、携帯型再生装置１４のＣＰＵ５０は、記録再生装置１３から取り外された状態で、操作キー５５を介して、ハードディスクドライブ５１に記録した音声データを再生するよう指示する操作が行われたことを認識すると、これに応じて、ハードディスクドライブ５１から音声データを読み出して、これを音声処理モジュール５６に入力する。音声処理モジュール５６は、ＣＰＵ５０の制御のもと、音声データに対して、復号処理などのデジタル処理を施した後、アナログ処理回路５７でデジタルアナログ変換処理などのアナログ処理を施すことにより音声信号を得、この音声信号に基づく音声をイヤホン１５から出力する。
【００３６】
このようにして、携帯型再生装置１４は、記録再生装置１３から転送されてくる音声データをハードディスクドライブ５１に記録して、この記録した音声データを再生し得るようになされている。
【００３７】
またＣＰＵ５０は、ハードディスクドライブ５１に記録した音声データに付加されている関連情報（例えば、音声データに基づく音楽のタイトル、アーティスト名、再生時間など）を表示コントローラ５８を介してディスプレイ５９に表示するようにもなされている。
【００３８】
（１−４）自動記録転送機能
ところで、この記録転送システム１０は、記録再生装置１３のＣＰＵ３０がユーザによるダウンロード操作を認識した時点で音声データをダウンロード（すなわち音楽配信サーバ１１から音声データを取得してハードディスクドライブ３１に記録）し、さらにユーザによる転送操作を認識した時点でこの記録した音声データを携帯型再生装置１４へ転送するといった、ユーザ手動の記録転送機能だけでなく、ＣＰＵ３０が予め設定された時刻に音声データを自動的にダウンロードして、ダウンロードした音声データを携帯型再生装置１４へ自動的に転送するといった、自動記録転送機能も有している。以下、この自動記録転送機能について説明する。
【００３９】
まず、記録再生装置１３のＣＰＵ３０は、操作キー３４を介して、音楽配信サーバ１１から特定の音声データのダウンロードを開始する時刻（以下、これをダウンロード開始時刻とも呼ぶ）がユーザにより設定されたことを認識すると、これに応じて、この設定されたダウンロード開始時刻に特定の音声データのダウンロードを開始することを予約するための、特定の音声データを識別する識別情報と、ダウンロード開始時刻とを有する予約情報を生成する。ちなみに、この場合の特定の音声データとは、ユーザにより指定された音声データである。ここで、識別情報は、特定の音声データを識別できるものであればよく、特定の音声データを識別できるコンテンツ識別情報や、特定の音声データのネットワークアドレスであるＵＲＬなどで構わない。また、識別情報は、音楽配信サーバ１１が、その特定の音声データを識別できるものであればよく、その特定の音声データを検索するための検索キーであっても構わない。このとき、識別情報は、特定の音声データのタイトル、アルバム名、アーティスト名、作曲家などが考えられる。
【００４０】
その後、ＣＰＵ３０は、図示しないタイマー回路から得られる現在時刻と、予約情報に示されるダウンロード開始時刻とが一致したことを検出すると、つまりユーザにより設定されたダウンロード開始時刻になると、音楽配信サーバ１１から識別情報により特定される特定の音声データのダウンロードを開始する。
【００４１】
そしてＣＰＵ３０は、特定の音声データのダウンロードが完了すると、このダウンロードが完了した音声データをハードディスクドライブ３１から読み出し、この読み出した音声データを、ＵＳＢインタフェース３９を介して接続されている携帯型再生装置１４に対して転送する。
【００４２】
このような自動記録転送機能により、記録再生装置１３は、ユーザに特定の音声データのダウンロード開始時刻を設定させるだけで、このダウンロード開始時刻になると、音声データのダウンロードを自動的に開始し、ダウンロードが完了した音声データを携帯型再生装置１４に自動的に転送するので、手動の記録転送機能で行う必要があったダウンロード操作及び転送操作を省略して、任意の時刻に、自動的に音声データのダウンロード及び転送を行うことができる。
【００４３】
さらに、この自動記録転送機能では、複数の音声データをダウンロードする場合（ユーザがダウンロードする音声データを複数指定した場合。すなわち、予約情報に、複数の音声データを識別するための、複数の識別情報が設定されている場合）、ダウンロードが完了した音声データの転送と、次の音声データのダウンロードとを同時に並列処理するようになされている。この並列処理について図６（Ａ）を用いて説明する。ちなみに、ここでは、一例として３つの音声データをダウンロードする場合について説明する。またこの場合、説明の便宜上、１音声データが１コンテンツ（例えば１楽曲）であり、各音声データが同データ量であるとする。
【００４４】
すなわち記録再生装置１３のＣＰＵ３０は、ダウンロード開始時刻ｔ１になると、音楽配信サーバ１１から、ユーザに指定された３つの音声データのうちの１番目の音声データのダウンロードを開始する。そしてＣＰＵ３０は、１番目の音声データのダウンロードが完了した時点ｔ２で、この１番目の音声データの携帯型再生装置１４への転送を開始すると共に、２番目の音声データのダウンロードを開始する。
【００４５】
つまりＣＰＵ３０は、この時点ｔ２以降、１番目の音声データの転送と、２番目の音声データのダウンロードとを同時に並列処理する。ここで、ＵＳＢインタフェース３９を介した音声データの転送と、ネットワークインタフェース３５を介した音声データのダウンロードとでは、一般的に、ＵＳＢインタフェース３９を介した音声データの転送のほうが、ネットワーク１２などを介さず、直接記録再生装置１３及び携帯型再生装置１４間で直接データの受け渡しを行うため高速である。
【００４６】
よって、時点ｔ２以降、１番目の音声データの転送が終了するまで、１番目の音声データの転送と、２番目の音声データのダウンロードとが同時に並列処理され、１番目の音声データの転送が終了した後、所定時間経過した時点ｔ３で、２番目の音声データのダウンロードが終了する。さらにＣＰＵ３０は、この２番目の音声データのダウンロードが終了した時点ｔ３で、この２番目の音声データの携帯型再生装置１４への転送を開始すると共に、３番目の音声データのダウンロードを開始する。
【００４７】
そして、この時点ｔ３以降、２番目の音声データの転送が終了するまで、２番目の音声データの転送と、３番目の音声データのダウンロードとがＣＰＵ３０によって同時に並列処理され、２番目の音声データの転送が終了した後、所定時間経過した時点ｔ４で、３番目の音声データのダウンロードが終了する。そしてＣＰＵ３０は、この３番目の音声データのダウンロードが終了した時点ｔ４で、この３番目の音声データの携帯型再生装置１４への転送を開始する。そしてこの時点ｔ４以降、所定時間経過した時点ｔ５で、３番目の音声データの携帯型再生装置１４への転送が終了する。
【００４８】
このように、記録再生装置１３は、複数の音声データをダウンロードする場合に、ダウンロードが完了した音声データの転送と、次の音声データのダウンロードとを同時に並列処理するので、例えば、図６（Ｂ）に示すような、３つの音声データを１つずつダウンロードした後に、これら３つの音声データを１つずつ携帯型再生装置１４に転送するといった逐次処理と比して、音声データの転送とダウンロードとを並列処理している時間分（図６（Ｂ）中の時点ｔ５から時点ｔ６までの時間分）だけ、音声データのダウンロードから転送までの処理にかかる時間を短縮することができる。
【００４９】
（１−５）自動記録転送処理手順
次に、上述した自動記録転送の処理手順について、図７のフローチャートを用いて説明する。ちなみに、この自動記録転送処理手順は、記録再生装置１３のＣＰＵ３０がハードディスクドライブ３１またはＲＯＭ３２から読み出したプログラムに従って実行する処理フロー（以下、これをスレッドとも呼ぶ）である。
【００５０】
図７に示すように、記録再生装置１３のＣＰＵ３０は、特定の音声データのダウンロード開始時刻がユーザにより設定されると、特定の音声データを識別する識別情報と、ダウンロード開始時刻とを有する予約情報を生成して、この自動記録転送処理手順ＲＴ１をステップＳＰ１から開始し、次のステップＳＰ２に移る。ステップＳＰ２においてＣＰＵ３０は、図示しないタイマー回路から得られる現在時刻をもとに、予約情報に示されるダウンロード開始時刻になるまで待ち受け、ダウンロード開始時刻になると、次のステップＳＰ３に移る。
【００５１】
ステップＳＰ３においてＣＰＵ３０は、予約情報に示される一つ以上の識別情報の中の１番目の識別情報がＵＲＬであるときは、そのＵＲＬにアクセスする。ここで、ＵＲＬは音楽配信サーバ１１内のネットワークアドレスであるＵＲＬとする。一方、その識別情報が、コンテンツを識別するためのコンテンツ識別情報や、検索キーであるときは、ＣＰＵ３０は、その識別情報を、ネットワークインタフェース３５を介して、その識別情報を音楽配信サーバ１１に転送するように制御する。そして、音楽配信サーバ１１から、その識別情報に対応する１番目の音声データのダウンロードを開始して、次のステップＳＰ４に移る。ステップＳＰ４においてＣＰＵ３０は、１番目の音声データのダウンロードが完了するまで待ち受け、この１番目の音声データのダウンロードが完了すると、次のステップＳＰ５に移る。
【００５２】
ステップＳＰ５においてＣＰＵ３０は、予約情報に示される全ての音声データのダウンロードが完了したか否かを判定する。ここで否定結果を得ると、このことはまだダウンロードの完了していない音声データがあることを意味しており、このときＣＰＵ３０は、ステップＳＰ６に移る。ステップＳＰ６においてＣＰＵ３０は、１番目の音声データにつづく２番目の音声データをダウンロードするスレッドを別途立ち上げて、この別スレッドで２番目の音声データのダウンロードを開始すると共に、ステップＳＰ７に移る。
【００５３】
これに対して上述のステップＳＰ５で肯定結果を得ると、このことは予約情報に示される全ての識別情報に対応する全ての音声データのダウンロードが完了したことを意味しており、このときＣＰＵ３０は、別スレッドを立ち上げずに、ステップＳＰ７に移る。
【００５４】
ステップＳＰ７においてＣＰＵ３０は、携帯型再生装置１４が通信可能に接続されているか否かを判定する。ここで否定結果を得ると、このときＣＰＵ３０は、携帯型再生装置１４に音声データを転送することなく、終了ステップＳＰ１０に移り、この自動記録転送処理手順ＲＴ１を終了する。
【００５５】
これに対してこのステップＳＰ７で肯定結果を得ると、このときＣＰＵ３０は、ステップＳＰ８に移り、ダウンロードが完了した１番目の音声データをハードディスクドライブ３１から読み出して、この読み出した音声データの携帯型再生装置１４への転送を開始して次のステップＳＰ９に移る。ここで、上述のステップＳＰ５で否定結果を得ていた場合、ＣＰＵ３０は、このステップＳＰ８以降、１番目の音声データの転送と、ステップＳＰ６で立ち上げた別スレッドによる２番目の音声データのダウンロードとを並列処理する。そしてＣＰＵ３０は、ステップＳＰ９において、１番目の音声データの転送が完了するまで待ち受け、この１番目の音声データの転送が完了すると、終了ステップＳＰ１０に移り、この自動記録転送処理手順ＲＴ１を終了する。
【００５６】
また、上述のステップＳＰ６で別スレッドを立ち上げていた場合、ＣＰＵ３０は、自動記録転送処理手順ＲＴ１終了後も、別スレッドによる２番目の音声データのダウンロード及び転送を継続する。ちなみに、この別スレッドでは、上述した自動記録転送処理手順ＲＴ１のステップＳＰ３〜ステップＳＰ１０の処理と同様の自動記録転送処理を行う。さらに、第３、第４とつづく音声データがある場合、ＣＰＵ３０は、その都度、スレッドを別途立ち上げ、最後の音声データに対するスレッドが終了したとき、つまり、最後の音声データの転送が終了したとき、予約情報に応じた自動記録転送処理を終了する。
【００５７】
このような処理手順で、記録再生装置１３のＣＰＵ３０は、ダウンロード予約された音声データを、設定されたダウンロード開始時刻に自動的にダウンロードして携帯型再生装置１４に転送するようになされている。
【００５８】
（１−６）第１の実施の形態による動作及び効果
以上の構成において記録再生装置１３は、ユーザにより特定の音声データのダウンロード開始時刻が設定されると、これに応じて、このダウンロード開始時刻に特定の音声データのダウンロードを開始することを予約するための、特定の音声データを識別する識別情報と、ダウンロード開始時刻とを有する予約情報を生成する。
【００５９】
その後、記録再生装置１３は、この予約情報に示されるダウンロード開始時刻になったことを検出すると、音楽配信サーバ１１から特定の音声データのダウンロードを開始する。さらに記録再生装置１３は、特定の音声データのダウンロードが完了すると（すなわち特定の音声データを受信してハードディスクドライブ３１への記録が完了すると）、つづけて、このダウンロードが完了した音声データをハードディスクドライブ３１から読み出して、通信可能に接続されている携帯型再生装置１４に転送する。
【００６０】
このようにして、記録再生装置１３は、ユーザに特定の音声データのダウンロード開始時刻を設定させるだけで、このダウンロード開始時刻に、音声データのダウンロードを自動的に開始し、ダウンロードが完了した音声データをつづけて携帯型再生装置１４に自動的に転送することができるので、手動のダウンロード操作及び転送操作を省略して、任意の時刻に、自動で音声データのダウンロード及び転送を行うことができる。
【００６１】
また実際上、記録再生装置１３は、接続された携帯型再生装置１４を充電するようにもなされているので、携帯型再生装置１４を充電しながら、自動で音声データのダウンロード及び転送を行うことができる。つまり、記録再生装置１３は、音声データのダウンロード操作及び転送操作をユーザに何ら意識させることなく、携帯型再生装置１４を充電するだけの場合と同じ要領で、音声データのダウンロード及び転送を行うことができる。
【００６２】
さらに記録再生装置１３は、複数の音声データをダウンロードする場合に、音声データのダウンロードが完了した時点で、このダウンロードが完了した音声データの携帯型再生装置１４への転送を開始すると共に、次の音声データのダウンロードを開始する。
【００６３】
このようにして、記録再生装置１３は、複数の音声データをダウンロードする場合に、ダウンロードが完了した音声データの転送と、次の音声データのダウンロードとを同時に並列処理するので、逐次的に音声データのダウンロードから転送までの処理を行う場合と比して、その処理時間を短縮することができる。
【００６４】
以上の構成によれば、記録再生装置１３は、特定の音声データをダウンロード開始時刻にダウンロードすることを予約する予約情報を生成し、この予約情報に示されるダウンロード開始時刻になったことを検出すると、特定の音声データのダウンロードを開始し、特定の音声データのダウンロードが完了すると、このダウンロードが完了した音声データをハードディスクドライブ３１から読み出して、通信可能に接続されている携帯型再生装置１４に自動的に転送するようにしたことにより、記録再生装置１３は、音声データのダウンロード開始時刻を設定するだけで、このダウンロード開始時刻に、音声データのダウンロードを自動的に開始して、ダウンロードが完了した音声データを自動的に転送することができる。これにより、記録再生装置１３は、音声データのダウンロード開始時に行う必要があったユーザ操作を省略して、任意の時刻に、音声データのダウンロード開始から転送までの処理を全て自動で行うことができ、かくして、音声データをダウンロードして転送する際の使い勝手を一段と向上させることができる。
【００６５】
（２）第２の実施の形態
次に第２の実施の形態について説明する。上述した第１の実施の形態では、記録再生装置１３が、設定されたダウンロード開始時刻になると、自動的に、音楽配信サーバ１１から特定の音声データをダウンロード（すなわち受信してハードディスクドライブ３１に記録）して携帯型再生装置１４へ転送するようにした場合について述べたが、この第２の実施の形態では、記録再生装置１３が、音楽配信サーバ１１に対して、特定の音声データの取得要求を定期的に送りつづけ、特定の音声データが音楽配信サーバ１１で更新されると、この更新された音声データをダウンロードして携帯型再生装置１４へ転送するようになされている。
【００６６】
つまり、この第２の実施の形態では、音楽配信サーバ１１が、ハードディスクドライブ２１に記録している放送番組などの音声データを不定期に更新（アップロードとも呼ぶ）するようになされる。これに対し記録再生装置１３が、音楽配信サーバ１１に対して音声データの取得要求を定期的に送り、この取得要求に対応する音声データがアップロードされると、このアップロード直後に送る取得要求により、アップロードされた音声データ、すなわち最新版の音声データを自動的にダウンロードして携帯型再生装置１４に転送するようになされている。
【００６７】
ちなみに、サーバ側で不定期に更新される音声データを、更新される度にダウンロードして転送することを、ポッドキャスティングとも呼ぶ。
【００６８】
実際上、記録再生装置１３のＣＰＵ３０は、操作キー３４を介して、音楽配信サーバ１１で公開されている音声データのうちの少なくとも１つが指定されると共に、この指定された音声データの取得要求を音楽配信サーバ１１へ送る間隔（以下、これを取得要求間隔とも呼ぶ）が設定されたことを認識すると、これに応じて、この指定された音声データの取得要求を設定された取得要求間隔で定期的に音楽配信サーバ１１へ送ることを示す予約情報を生成する。
【００６９】
その後ＣＰＵ３０は、図示しないタイマー回路から得られる現在時刻と、予約情報に示される取得要求間隔とに基づき、定期的に、音楽配信サーバ１１に対して、指定された音声データの取得要求を送る。ここで、取得要求には、上述の識別情報を含み、その識別情報は最新版の音声データを識別できるものであればよく、最新版の音声データを識別できるコンテンツ識別情報や、最新版の音声データのネットワークアドレスであるＵＲＬなどで構わない。また、識別情報は、音楽配信サーバ１１が、その最新版の音声データを識別できるものであればよく、その最新版の音声データを検索するための検索キーであっても構わない。このとき、識別情報は、特定の音声データのタイトル、アルバム名、アーティスト名、作曲家などが考えられる。
【００７０】
そしてＣＰＵ３０は、音楽配信サーバ１１が、指定された音声データをアップロードすると、このアップロード直後に送る取得要求により、音楽配信サーバ１１からアップロードされた音声データをダウンロードして、このダウンロードした音声データを、携帯型再生装置１４へ転送するようになされている。
【００７１】
ここで、この第２の実施の形態による音声データの取得要求から転送までの処理手順（自動記録転送処理手順）について、図８及び図９に示すシーケンスチャートを用いて説明する。ちなみに、この自動記録転送処理手順は、記録再生装置１３のＣＰＵ３０がハードディスクドライブ３１またはＲＯＭ３２から読み出したプログラムに従い音楽配信サーバ１１のＣＰＵ２０及び携帯型再生装置５０と協働して実行するものである。またここでは、音楽配信サーバ１１内のネットワークアドレスであるＵＲＬ１１Ａ及びＵＲＬ１１Ｂのそれぞれにより識別される２つの音声データが、ほぼ同時（同時でもよい）にアップロードされる場合を例に説明する。
【００７２】
記録再生装置１３のＣＰＵ３０は、音楽配信サーバ１１で公開されている２つの音声データが指定されると共に、この指定された音声データに対する取得要求間隔が設定されると、指定された２つの音声データを識別する識別情報（この場合、ＵＲＬ１１Ａ及びＵＲＬ１１Ｂ）と、この指定された２つの音声データの取得要求を設定された取得要求間隔で定期的に音楽配信サーバ１１へ送ることを示す予約情報を生成して、この自動記録転送処理手順を開始し、図８に示すステップＳＰ２０に移る。
【００７３】
ステップＳＰ２０において記録再生装置１３のＣＰＵ３０は、予約情報に示される音楽配信サーバ１１内の２つのＵＲＬ１１Ａ及びＵＲＬ１１Ｂに対して、予約情報に示される取得要求間隔で定期的にアクセス（取得要求を送信）する。
【００７４】
一方、音楽配信サーバ１１のＣＰＵ２０は、記録再生装置１３が音楽配信サーバ１１内の２つのＵＲＬ１１Ａ及びＵＲＬ１１Ｂに対して定期的にアクセスしている間に、ステップＳＰ１００においてＵＲＬ１１Ａにより識別される音声データをアップロードし、さらにこのアップロードとほぼ同時にステップＳＰ１１０においてＵＲＬ１１Ｂにより識別される音声データをアップロードする。
【００７５】
このようにして、ＵＲＬ１１Ａ及びＵＲＬ１１Ｂのそれぞれにより識別される２つの音声データがほぼ同時にアップロードされると、記録再生装置１３のＣＰＵ３０は、このアップロード直後のＵＲＬ１１Ａ及びＵＲＬ１１Ｂへのアクセスにより、音楽配信サーバ１１との間で、アップロードされた２つの音声データのダウンロードを順に開始する。
【００７６】
記録再生装置１３のＣＰＵ３０は、まずほぼ同時にアップロードされた２つの音声データのうちの一方（例えばＵＲＬ１１Ａにより識別される音声データ）のダウンロードを、音楽配信サーバ１１との間で開始する。
【００７７】
すなわち、音楽配信サーバ１１のＣＰＵ２０は、上述のステップＳＰ１００から移るステップＳＰ１０１において、記録再生装置１３に対し、ＵＲＬ１１Ａにより識別されるアップロードした音声データの送信を開始する。これに対して、記録再生装置１３のＣＰＵ３０は、上述したステップ２０から移るステップＳＰ２１において、音楽配信サーバ１１から、ＵＲＬ１１Ａにより識別されるアップロードされた音声データの受信を開始する。
【００７８】
記録再生装置１３のＣＰＵ３０は、このようにしてＵＲＬ１１Ａにより識別される音声データのダウンロードを開始すると、次のステップＳＰ２２に移る。ステップＳＰ２２において記録再生装置のＣＰＵ３０は、ＵＲＬ１１Ａにより識別される音声データのダウンロードが完了するまで待ち受け、このダウンロードが完了すると、次のステップＳＰ２３に移る。
【００７９】
ステップＳＰ２３において記録再生装置１３のＣＰＵ３０は、予約情報に示される音声データのうち、アップロードされた全ての音声データのダウンロードが完了したか否かを判定する。ここでは、まだＵＲＬ１１Ｂにより識別される音声データのダウンロードが完了していないので、ＣＰＵ３０は、このステップＳＰ２３で否定結果を得て、ステップＳＰ２４（図９）に移る。
【００８０】
ステップＳＰ２４において記録再生装置１３のＣＰＵ３０は、ＵＲＬ１１Ｂにより識別される音声データをダウンロードするスレッドを別途立ち上げて、この別スレッドでＵＲＬ１１Ｂにより識別される音声データのダウンロードを開始すると共に、ステップＳＰ２５に移る。ちなみに、このときＵＲＬ１１Ｂにより識別される音声データがアップロードされていなければ、ＣＰＵ３０は、上述のステップＳＰ２３で肯定結果を得て、別スレッドを立ち上げずに、ステップＳＰ２５に移る。
【００８１】
ステップＳＰ２５において記録再生装置１３のＣＰＵ３０は、携帯型再生装置１４が通信可能に接続されているか否かを判定する。ここで否定結果を得ると、このときＣＰＵ３０は、携帯型再生装置１４にＵＲＬ１１Ａにより識別される音声データを転送することなく、ＵＲＬ１１Ａ及びＵＲＬ１１Ｂに対する定期的なアクセスを引き続き行う。
【００８２】
これに対してこのステップＳＰ２５で肯定結果を得ると、このとき記録再生装置１３のＣＰＵ３０は、ステップＳＰ２６に移り、ダウンロードが完了したＵＲＬ１１Ａにより識別される音声データをハードディスクドライブ３１から読み出して、この読み出した音声データの携帯型再生装置１４への転送を開始する。
【００８３】
すなわち、記録再生装置１３のＣＰＵ３０は、このステップＳＰ２６で、携帯型再生装置１４に対し、ＵＲＬ１１Ａにより識別される音声データの送信を開始する。これに対して、携帯型再生装置１４のＣＰＵ５０は、ステップＳＰ１２０において、記録再生装置１３から、ＵＲＬ１１Ａにより識別される音声データの受信を開始する。
【００８４】
記録再生装置１３のＣＰＵ３０は、このようにしてＵＲＬ１１Ａにより識別される音声データの転送を開始すると、次のステップＳＰ２７に移る。ステップＳＰ２７において記録再生装置のＣＰＵ３０は、ＵＲＬ１１Ａにより識別される音声データの転送が完了するまで待ち受け、この転送が完了すると、ＵＲＬ１１Ａ及びＵＲＬ１１Ｂに対する定期的なアクセスを引き続き行う。
【００８５】
また記録再生装置１３のＣＰＵ３０は、ステップＳＰ２５〜ステップＳＰ２７の処理であるＵＲＬ１１Ａにより識別される音声データの転送と平行して実行する別スレッドのステップＳＰ１３０において、ＵＲＬ１１Ｂにより識別される音声データのダウンロードを、音楽配信サーバ１１との間で開始する。
【００８６】
すなわち、音楽配信サーバ１１のＣＰＵ２０は、上述のステップＳＰ１１０から移るステップＳＰ１１１において、記録再生装置１３に対し、ＵＲＬ１１Ｂにより識別されるアップロードした音声データの送信を開始する。これに対して、記録再生装置１３のＣＰＵ３０は、ステップ１３０で、音楽配信サーバ１１から、ＵＲＬ１１Ｂにより識別されるアップロードされた音声データの受信を開始する。
【００８７】
記録再生装置１３のＣＰＵ３０は、このようにしてＵＲＬ１１Ｂにより識別される音声データのダウンロードを開始すると、次のステップＳＰ１３１に移る。ステップＳＰ１３１において記録再生装置１３のＣＰＵ３０は、ＵＲＬ１１Ｂにより識別される音声データのダウンロードが完了するまで待ち受け、このダウンロードが完了すると、上述したステップＳＰ２３以降の処理と同様の処理を実行する。そして記録再生装置１３のＣＰＵ３０は、ＵＲＬ１１Ｂにより識別される音声データの携帯型再生装置１４への転送が完了すると、この別スレッドを終了する。
【００８８】
このような処理手順で、記録再生装置１３のＣＰＵ３０は、指定された音声データがアップロードされると、このアップロードされた音声データを自動的にダウンロードして携帯型再生装置１４に転送するようになされている。
【００８９】
このように記録再生装置１３は、ユーザに音声データを指定させると共に、この音声データに対する取得要求間隔を設定させるだけで、この取得要求間隔毎に音声データの取得要求を音楽配信サーバ１１に対して自動的に送り、この取得要求に対応する音声データがアップロードされると、このアップロード直後に送る取得要求により、アップロードされた音声データを自動的にダウンロードして通信可能に接続された携帯型再生装置１４に転送するようにして、更新された音声データのダウンロードから転送までの処理、すなわちポッドキャスティングの処理を全て自動で行うことができるので、ポッドキャスティング利用時の使い勝手を一段と向上させることができる。
【００９０】
また記録再生装置１３は、複数の音声データがほぼ同時にアップロードされた場合に、ダウンロードが完了した音声データの携帯型再生装置１４への転送と、次の音声データのダウンロードとを同時に並列処理するので、逐次的に音声データのダウンロードから転送までの処理を行う場合と比して、その処理時間を短縮することができる。
【００９１】
ちなみに、記録再生装置１３は、例えば、音楽配信サーバ１１に記録されている音声データに付加された更新時刻などの更新情報に基づき、音声データがアップロードされたか否かを判断し得るようになされている。
【００９２】
（３）第３の実施の形態
次に第３の実施の形態について説明する。この第３の実施の形態では、記録再生装置１３が、設定された時刻になると、ＣＤドライブ３６に装填されているＣＤ４５に記録されている音声データを自動的にリッピングして、このリッピングした音声データを携帯型再生装置１４へ転送するようになされている。また、この記録再生装置１３は、設定された時刻になると、チューナ４３で受信している放送信号を自動的に音声データとして録音して、この録音した音声データを携帯型再生装置１４へ転送するようにもなされている。さらに、この記録再生装置１３は、設定された時刻になると、音声入力端子４４から入力される音声信号を自動的に音声データとして録音して、この録音した音声データを携帯型再生装置１４へ転送するようにもなされている。
【００９３】
つまり、この第３の実施の形態の記録再生装置１３は、ＣＤ４５に記録されている音声データのリッピング及び転送、チューナ４３で受信する放送信号の録音及び転送、音声入力端子４４から入力される音声信号の録音及び転送を、ユーザが設定した時刻に、自動的に行うようになされている。
【００９４】
実際上、記録再生装置１３のＣＰＵ３０は、操作キー３４を介して、ＣＤドライブ３６に装填されたＣＤ４５に記録されている音声データのリッピングを開始する時刻（以下、これをリッピング開始時刻とも呼ぶ）がユーザにより設定されたことを認識すると、これに応じて、この設定されたリッピング開始時刻にＣＤ４５に記録されている音声データのリッピングを開始することを予約する予約情報を生成する。
【００９５】
その後、ＣＰＵ３０は、図示しないタイマー回路から得られる現在時刻と、予約情報に示されるリッピング開始時刻とが一致したことを検出すると、つまりユーザにより設定されたリッピング開始時刻になると、ＣＤドライブ３６に装填されたＣＤ４５に記録されている音声データのリッピングを開始する。
【００９６】
そしてＣＰＵ３０は、音声データのリッピングが完了すると、このリッピングが完了した音声データをハードディスクドライブ３１から読み出し、この読み出した音声データを、ＵＳＢインタフェース３９を介して接続されている携帯型再生装置１４に対して転送する。
【００９７】
これにより、記録再生装置１３は、ユーザにリッピング開始時刻を設定させるだけで、このリッピング開始時刻に、音声データのリッピングを自動的に開始し、リッピングが完了した音声データを携帯型再生装置１４に自動的に転送することができるので、手動のリッピング操作及び転送操作を省略して、任意の時刻に、自動的に音声データのリッピング及び転送を行うことができ、かくして、音声データをリッピングして転送する際の使い勝手を一段と向上させることができる。
【００９８】
またＣＰＵ３０は、操作キー３４を介して、チューナ４３で受信される特定の放送信号の録音を開始する時刻（以下、これを放送録音開始時刻とも呼ぶ）と、録音を終了する時刻（以下、これを放送録音終了時刻とも呼ぶ）とがユーザにより設定されたことを認識すると、これに応じて、この設定された放送録音開始時刻にチューナ４３で受信される放送信号の録音を開始して放送録音終了時刻に録音を終了することを予約する予約情報を生成する。ちなみに、この場合の特定の放送信号とは、ユーザにより指定された放送局から放送される放送信号である。
【００９９】
その後、ＣＰＵ３０は、図示しないタイマー回路から得られる現在時刻と、予約情報に示される放送録音開始時刻とが一致したことを検出すると、つまりユーザにより設定された放送録音開始時刻になると、特定の放送信号を受信するようチューナ４３を制御して、このときチューナ４３で受信される放送信号の録音を開始する。
【０１００】
そしてＣＰＵ３０は、放送録音終了時刻になると、放送信号の録音を終了して、この録音によりハードディスクドライブ３１に記録された音声データを、このハードディスクドライブ３１から読み出し、ＵＳＢインタフェース３９を介して接続されている携帯型再生装置１４に対して転送する。
【０１０１】
これにより、記録再生装置１３は、ユーザに放送局と放送録音開始時刻及び放送録音終了時刻とを設定させるだけで、この放送録音開始時刻に、指定された放送局で放送される放送信号の録音を自動的に開始して、放送録音終了時刻に録音を終了し、この録音により得られた音声データを携帯型再生装置１４に自動的に転送することができるので、手動の放送録音操作及び転送操作を省略して、任意の時刻に、自動的に放送信号の録音及び転送を行うことができ、かくして、放送信号を録音して転送する際の使い勝手を一段と向上させることができる。
【０１０２】
さらにＣＰＵ３０は、操作キー３４を介して、音声入力端子４４から入力される音声信号の録音を開始する時刻（以下、これを入力音声録音開始時刻とも呼ぶ）と、録音を終了する時刻（以下、これを入力音声録音終了時刻とも呼ぶ）とがユーザにより設定されたことを認識すると、これに応じて、この設定された入力音声録音開始時刻に音声入力端子４４から入力される音声信号の録音を開始して入力音声録音終了時刻に録音を終了することを予約する予約情報を生成する。
【０１０３】
その後、ＣＰＵ３０は、図示しないタイマー回路から得られる現在時刻と、予約情報に示される入力音声録音開始時刻とが一致したことを検出すると、つまりユーザにより設定された入力音声録音開始時刻になると、音声入力端子４４から入力されている音声信号の録音を開始する。
【０１０４】
そしてＣＰＵ３０は、入力音声録音終了時刻になると、音声信号の録音を終了して、この録音によりハードディスクドライブ３１に記録された音声データを、このハードディスクドライブ３１から読み出し、ＵＳＢインタフェース３９を介して接続されている携帯型再生装置１４に対して転送する。
【０１０５】
これにより、記録再生装置１３は、ユーザに入力音声録音開始時刻と入力音声録音終了時刻とを設定させるだけで、この入力音声録音開始時刻に、音声入力端子４４から入力される音声信号の録音を自動的に開始して、入力音声録音終了時刻に録音を終了し、この録音により得られた音声データを携帯型再生装置１４に自動的に転送することができるので、手動の入力音声録音操作及び転送操作を省略して、任意の時刻に、自動的に音声入力端子４４から入力される音声信号の録音及び転送を行うことができ、かくして、音声入力端子４４から入力される音声信号を録音して転送する際の使い勝手を一段と向上させることができる。
【０１０６】
ここで、この第３の実施の形態による音声データの記録から転送までの処理手順（自動記録転送処理手順）として、ＣＤ４５に記録されている音声データをリッピングして転送する場合（以下、これを単にリッピングの場合とする）の自動記録転送処理手順と、チューナ４３で受信する放送信号を録音して転送する場合（以下、これを単に放送録音の場合とする）の自動記録転送処理手順と、音声入力端子４４から入力される音声信号を録音して転送する場合（以下、これを入力音声録音の場合とする）の自動記録転送処理手順とを順に説明する。ちなみに、これらの自動記録転送処理手順も、記録再生装置１３のＣＰＵ３０がハードディスクドライブ３１またはＲＯＭ３２から読み出したプログラムに従って実行する処理フローである。
【０１０７】
まず図１０に示すフローチャートを用いて、リッピングの場合の自動記録転送処理手順について説明する。記録再生装置１３のＣＰＵ３０は、ＣＤドライブ３６に装填されたＣＤ４５に記録されている音声データのリッピング開始時刻がユーザにより設定されると、リッピング開始時刻を有する予約情報を生成して、この自動記録転送処理手順ＲＴ２をステップＳＰ２００から開始し、次のステップＳＰ２０１に移る。
【０１０８】
ステップＳＰ２０１においてＣＰＵ３０は、図示しないタイマー回路から得られる現在時刻をもとに、予約情報に示されるリッピング開始時刻になるまで待ち受け、リッピング開始時刻になると、次のステップＳＰ２０２に移る。
【０１０９】
ステップＳＰ２０２においてＣＰＵ３０は、ＣＤドライブ３６に装填されたＣＤ４５に記録されている１トラック目の音声データのリッピングを開始して、次のステップＳＰ２０３に移る。ステップＳＰ２０３においてＣＰＵ３０は、１トラック目の音声データのリッピングが完了するまで待ち受け、この１トラック目の音声データのリッピングが完了すると、次のステップＳＰ２０４に移る。
【０１１０】
ステップＳＰ２０４においてＣＰＵ３０は、ＣＤ４５に記録されている全トラックの音声データのリッピングが完了したか否かを判定する。ここで否定結果を得ると、このことはまだリッピングの完了していない音声データがあることを意味しており、このときＣＰＵ３０は、ステップＳＰ２０５に移る。ステップＳＰ２０５においてＣＰＵ３０は、１トラック目の音声データにつづく２トラック目の音声データをリッピングするスレッドを別途立ち上げて、この別スレッドで２トラック目の音声データのリッピングを開始すると共に、ステップＳＰ２０６に移る。
【０１１１】
これに対して上述のステップＳＰ２０４で肯定結果を得ると、このことはＣＤ４５に記録されている全トラックの音声データのリッピングが完了したことを意味しており、このときＣＰＵ３０は、別スレッドを立ち上げずに、ステップＳＰ２０６に移る。
【０１１２】
ステップＳＰ２０６においてＣＰＵ３０は、携帯型再生装置１４が通信可能に接続されているか否かを判定する。ここで否定結果を得ると、このときＣＰＵ３０は、携帯型再生装置１４に音声データを転送することなく、終了ステップＳＰ２０９に移り、この自動記録転送処理手順ＲＴ２を終了する。
【０１１３】
これに対してこのステップＳＰ２０６で肯定結果を得ると、このときＣＰＵ３０は、ステップＳＰ２０７に移り、リッピングが完了した１トラック目の音声データをハードディスクドライブ３１から読み出して、この読み出した音声データの携帯型再生装置１４への転送を開始して次のステップＳＰ２０８に移る。ここで、上述のステップＳＰ２０４で否定結果を得ていた場合、ＣＰＵ３０は、このステップＳＰ２０７以降、１トラック目の音声データの転送と、ステップＳＰ２０５で立ち上げた別スレッドによる２トラック目の音声データのリッピングとを並列処理する。そしてＣＰＵ３０は、ステップＳＰ２０８において、１トラック目の音声データの転送が完了するまで待ち受け、この１トラック目の音声データの転送が完了すると、終了ステップＳＰ２０９に移り、この自動記録転送処理手順ＲＴ２を終了する。
【０１１４】
また、上述のステップＳＰ２０５で別スレッドを立ち上げていた場合、ＣＰＵ３０は、自動記録転送処理手順ＲＴ２終了後も、別スレッドによる２トラック目の音声データのリッピング及び転送を継続する。ちなみに、この別スレッドでは、上述した自動記録転送処理手順ＲＴ２のステップＳＰ２０２〜ステップＳＰ２０９の処理と同様の自動記録転送処理を行う。さらに、第３トラック、第４トラックとつづく音声データがある場合、ＣＰＵ３０は、その都度、スレッドを別途立ち上げ、最終トラックの音声データに対するスレッドが終了したとき、つまり、最終トラックの音声データの転送が終了したとき、予約情報に応じた自動記録転送処理を終了する。
【０１１５】
このような処理手順で、記録再生装置１３のＣＰＵ３０は、リッピング予約された音声データを、設定されたリッピング開始時刻に自動的にリッピングして携帯型再生装置１４に転送するようになされている。
【０１１６】
これにより記録再生装置１３は、ＣＤ４５に複数の音声データが記録されている場合に、リッピングが完了した音声データの携帯型再生装置１４への転送と、次の音声データのリッピングとを同時に並列処理するので、逐次的に音声データのリッピングから転送までの処理を行う場合と比して、その処理時間を短縮することができる。
【０１１７】
次に図１１に示すフローチャートを用いて、放送録音の場合の自動記録転送処理手順について説明する。記録再生装置１３のＣＰＵ３０は、チューナ４３で受信される特定の放送信号の放送録音開始時刻及び放送録音終了時刻がユーザにより設定されると、指定された放送局のチャンネルと、放送録音開始時刻及び放送録音終了時刻とを有する予約情報を生成して、この自動記録転送処理手順ＲＴ３をステップＳＰ３００から開始し、ステップＳＰ３０１に移る。
【０１１８】
ステップＳＰ３０１においてＣＰＵ３０は、図示しないタイマー回路から得られる現在時刻をもとに、予約情報に示される放送録音開始時刻になるまで待ち受け、放送開始時刻になると、次のステップＳＰ３０２に移る。
【０１１９】
ステップＳＰ３０２においてＣＰＵ３０は、予約情報に示されるチャンネルの放送信号を音声データとして録音する処理を開始して、次のステップＳＰ３０３に移る。ステップＳＰ３０３においてＣＰＵ３０は、例えば１番組目の音声データの録音が完了するまで待ち受け、この１番組目の音声データの録音が完了すると、次のステップＳＰ３０４に移る。ちなみに、記録再生装置１３のＣＰＵ３０は、例えば、放送番組の放送開始時刻と放送終了時刻とを示す番組情報をネットワーク１２を介して外部から取得し、この番組情報をもとに予約情報に示される放送信号を番組単位の音声データに分けて録音するようになされている。
【０１２０】
ステップＳＰ３０４においてＣＰＵ３０は、図示しないタイマー回路から得られる現在時刻をもとに、予約情報に示される放送録音終了時刻になったか否かを判定する。ここで否定結果を得ると、このことはまだ放送録音終了時刻になっていないことを意味しており、このときＣＰＵ３０は、ステップＳＰ３０５に移る。ステップＳＰ３０５においてＣＰＵ３０は、１番組目の音声データにつづく２番組目の音声データを録音するスレッドを別途立ち上げて、この別スレッドで２番組目の音声データの録音を開始すると共に、ステップＳＰ３０６に移る。
【０１２１】
これに対して上述のステップＳＰ３０４で肯定結果を得ると、このことは放送録音終了時刻になったことを意味しており、このときＣＰＵ３０は、別スレッドを立ち上げずに、ステップＳＰ３０６に移る。
【０１２２】
ステップＳＰ３０６においてＣＰＵ３０は、携帯型再生装置１４が通信可能に接続されているか否かを判定する。ここで否定結果を得ると、このときＣＰＵ３０は、携帯型再生装置１４に音声データを転送することなく、終了ステップＳＰ３０９に移り、この自動記録転送処理手順ＲＴ３を終了する。
【０１２３】
これに対してこのステップＳＰ３０６で肯定結果を得ると、このときＣＰＵ３０は、ステップＳＰ３０７に移り、録音が完了した１番組目の音声データをハードディスクドライブ３１から読み出して、この読み出した音声データの携帯型再生装置１４への転送を開始して次のステップＳＰ３０８に移る。ここで、上述のステップＳＰ３０４で否定結果を得ていた場合、ＣＰＵ３０は、このステップＳＰ３０７以降、１番組目の音声データの転送と、ステップＳＰ３０５で立ち上げた別スレッドによる２番組目の音声データの録音とを並列処理する。そしてＣＰＵ３０は、ステップＳＰ３０８において、１番組目の音声データの転送が完了するまで待ち受け、この１番組目の音声データの転送が完了すると、終了ステップＳＰ３０９に移り、この自動記録転送処理手順ＲＴ３を終了する。
【０１２４】
また、上述のステップＳＰ３０５で別スレッドを立ち上げていた場合、ＣＰＵ３０は、自動記録転送処理手順ＲＴ３終了後も、別スレッドによる２番組目の音声データの録音及び転送を継続する。ちなみに、この別スレッドでは、上述した自動記録転送処理手順ＲＴ３のステップＳＰ３０２〜ステップＳＰ３０９の処理と同様の自動記録転送処理を行う。さらに、第３番組、第４番組とつづく音声データがある場合、ＣＰＵ３０は、その都度、スレッドを別途立ち上げ、放送録音開始時刻から放送録音終了時刻の間に放送される放送番組のうちの最終番組の音声データに対するスレッドが終了したとき、つまり、最終番組の音声データの転送が終了したとき、予約情報に応じた自動記録転送処理を終了する。
【０１２５】
このような処理手順で、記録再生装置１３のＣＰＵ３０は、録音予約された放送信号を、設定された放送録音開始時刻から放送録音終了時刻の間に自動的に番組単位の音声データとして録音し、携帯型再生装置１４に転送するようになされている。
【０１２６】
これにより記録再生装置１３は、放送録音開始時刻から放送録音終了時刻の間に複数の番組が放送される場合に、録音が完了した放送番組の音声データの携帯型再生装置１４への転送と、次の放送番組の音声データの録音とを同時に並列処理するので、逐次的に音声データの録音から転送までの処理を行う場合と比して、その処理時間を短縮することができる。
【０１２７】
次に図１２に示すフローチャートを用いて、入力音声録音の場合の自動記録転送処理手順について説明する。記録再生装置１３のＣＰＵ３０は、入力音声録音開始時刻及び入力音声録音終了時刻を有する予約情報を生成して、この自動記録転送処理手順ＲＴ４をステップＳＰ４００から開始し、ステップＳＰ４０１に移る。
【０１２８】
ステップＳＰ４０１においてＣＰＵ３０は、図示しないタイマー回路から得られる現在時刻をもとに、予約情報に示される入力音声録音開始時刻になるまで待ち受け、入力音声録音開始時刻になると、次のステップＳＰ４０２に移る。
【０１２９】
ステップＳＰ４０２においてＣＰＵ３０は、音声入力端子４４から入力される音声信号を音声データとして録音する処理を開始して、次のステップＳＰ４０３に移る。ステップＳＰ４０３においてＣＰＵ３０は、例えば１曲目の音声データの録音が完了するまで待ち受け、この１曲目の音声データの録音が完了すると、次のステップＳＰ４０４に移る。ちなみに、記録再生装置１３のＣＰＵ３０は、例えば、音声入力端子４４から入力される音声信号の無音部分を検出し、この無音部分を曲の境目として音声信号を曲単位の音声データに分けて録音するようになされている。
【０１３０】
ステップＳＰ４０４においてＣＰＵ３０は、図示しないタイマー回路から得られる現在時刻をもとに、予約情報に示される入力音声録音終了時刻になったか否かを判定する。ここで否定結果を得ると、このことはまだ入力音声録音終了時刻になっていないことを意味しており、このときＣＰＵ３０は、ステップＳＰ４０５に移る。ステップＳＰ４０５においてＣＰＵ３０は、１曲目の音声データにつづく２曲目の音声データを録音するスレッドを別途立ち上げて、この別スレッドで２曲目の音声データの録音を開始すると共に、ステップＳＰ４０６に移る。
【０１３１】
これに対して上述のステップＳＰ４０４で肯定結果を得ると、このことは入力音声録音終了時刻になったことを意味しており、このときＣＰＵ３０は、別スレッドを立ち上げずに、ステップＳＰ４０６に移る。
【０１３２】
ステップＳＰ４０６においてＣＰＵ３０は、携帯型再生装置１４が通信可能に接続されているか否かを判定する。ここで否定結果を得ると、このときＣＰＵ３０は、携帯型再生装置１４に音声データを転送することなく、終了ステップＳＰ４０９に移り、この自動記録転送処理手順ＲＴ４を終了する。
【０１３３】
これに対してこのステップＳＰ４０６で肯定結果を得ると、このときＣＰＵ３０は、ステップＳＰ４０７に移り、録音が完了した１曲目の音声データをハードディスクドライブ３１から読み出して、この読み出した音声データの携帯型再生装置１４への転送を開始して次のステップＳＰ４０８に移る。ここで、上述のステップＳＰ４０４で否定結果を得ていた場合、ＣＰＵ３０は、このステップＳＰ４０７以降、１曲目の音声データの転送と、ステップＳＰ４０５で立ち上げた別スレッドによる２曲目の音声データの録音とを並列処理する。そしてＣＰＵ３０は、ステップＳＰ４０８において、１曲目の音声データの転送が完了するまで待ち受け、この１曲目の音声データの転送が完了すると、終了ステップＳＰ４０９に移り、この自動記録転送処理手順ＲＴ４を終了する。
【０１３４】
また、上述のステップＳＰ４０５で別スレッドを立ち上げていた場合、ＣＰＵ３０は、自動記録転送処理手順ＲＴ４終了後も、別スレッドによる２曲目の音声データの録音及び転送を継続する。ちなみに、この別スレッドでは、上述した自動記録転送処理手順ＲＴ４のステップＳＰ４０２〜ステップＳＰ４０９の処理と同様の自動記録転送処理を行う。さらに、第３曲、第４曲とつづく音声データがある場合、ＣＰＵ３０は、その都度、スレッドを別途立ち上げ、入力音声録音開始時刻から入力音声録音終了時刻の間に入力される曲のうちの最終曲の音声データに対するスレッドが終了したとき、つまり、最終曲の音声データの転送が終了したとき、予約情報に応じた自動記録転送処理を終了する。
【０１３５】
このような処理手順で、記録再生装置１３のＣＰＵ３０は、録音予約された音声信号を、設定された入力音声録音開始時刻から入力音声録音終了時刻の間に自動的に曲単位の音声データとして録音し、携帯型再生装置１４に転送するようになされている。
【０１３６】
これにより記録再生装置１３は、入力音声録音開始時刻から入力音声録音終了時刻の間に複数の曲が入力される場合に、録音が完了した曲の音声データの携帯型再生装置１４への転送と、次の曲の音声データの録音とを同時に並列処理するので、逐次的に音声データの録音から転送までの処理を行う場合と比して、その処理時間を短縮することができる。
【０１３７】
（４）他の実施の形態
なお、上述の実施の形態においては、記録再生装置１３がコンテンツとしての音声データを記録して、この記録した音声データを携帯型再生装置１４へ転送する場合に、本発明を適用した場合について述べたが、本発明はこれに限らず、この他種々のコンテンツを記録する記録装置が、コンテンツを記録して、この記録したコンテンツを、コンテンツを利用可能な装置に対して転送する場合に広く適用することができ、例えば、映像データを記録可能な記録装置が、映像データを記録して、この記録した映像データを、映像データを再生可能な再生装置に転送する場合に適用することもできるし、プログラムを記録可能な記録装置が、プログラムを記録して、この記録したプログラムを、プログラムを実行可能な情報処理装置に転送する場合に適用することもできる。
【０１３８】
また、上述の実施の形態においては、特定の音声データのダウンロード開始時刻をユーザに設定させるようにした場合について述べたが、本発明はこれに限らず、記録再生装置１３のＣＰＵ３０がダウンロード開始時刻を設定するようにしてもよい。この場合、ＣＰＵ３０は、例えば、記録再生装置１３がユーザに使用されない時間（深夜など）をダウンロード開始時刻に設定する。これにより、ＣＰＵ３０は、ユーザにダウンロードする音声データを指定させるだけで、記録再生装置１３がユーザに使用されない時間を利用して、自動的に、音楽配信サーバ１１から音声データをダウンロードして携帯型再生装置１４へ転送することができる。また同様に、第２の実施の形態における取得要求間隔、及び第３の実施の形態におけるリッピング開始時刻についても、記録再生装置１３のＣＰＵ３０が設定するようにしてもよい。ちなみにこの場合、ＣＰＵ３０は、記録再生装置１３がユーザに使用されない時間を、例えば、予め記録再生装置１３に設定されている時間情報をもとに判断するようにしてもよいし、学習により判断するようにしてもよい。
【０１３９】
さらに、上述の実施の形態においては、自動記録転送処理手順ＲＴ１で説明したように、記録再生装置１３のＣＰＵ３０が、音声データのダウンロードが完了して、この音声データを携帯型再生装置１４へ転送する直前に、記録再生装置１３に携帯型再生装置１４が通信可能に接続されているか否かを確認するようにした場合について述べたが、本発明はこれに限らず、音声データを携帯型再生装置１４へ転送する前であれば、音声データのダウンロード開始前などに接続確認を行うようにしてもよい。
【０１４０】
さらに上述の実施の形態においては、記録再生装置１３と携帯型再生装置１４とを、それぞれのＵＳＢインタフェース３９及び５４を介して接続するようにした場合について述べたが、本発明はこれに限らず、記録再生装置１３と携帯型再生装置１４とを、有線ＬＡＮ接続、無線ＬＡＮ接続、赤外線接続など、この他種々の接続方法で、接続するようにしてもよい。
【０１４１】
さらに上述の実施の形態においては、記録再生装置１３のＣＰＵ３０が、ダウンロード開始時刻がユーザにより設定されると、予約情報を生成して、自動記録転送処理手順ＲＴ１をステップＳＰ１から開始し、つづくステップＳＰ２に移るようにした場合について述べたが、本発明はこれに限らず、ダウンロード開始時刻がユーザにより設定されると、自動記録転送処理手順ＲＴ１をステップＳＰ１から開始して、ステップＳＰ２に移る前に、予約情報を生成するステップを実行するようにしてもよい。つまり、自動記録転送処理手順ＲＴ１のステップＳＰ１とステップＳＰ２との間に、予約情報を生成するステップを設けるようにしてもよい。
【０１４２】
さらに上述の実施の形態においては、記録再生装置１３のＣＰＵ３０が、ハードディスクドライブ３１またはＲＯＭ３２にインストールされているプログラムに従って、上述した自動記録転送処理を実行する場合について述べたが、本発明はこれに限らず、この自動記録転送処理を実行するためのプログラムを、ＣＤなどの記録媒体に記録しておくようにしてもよい。
【０１４３】
さらに上述の実施の形態においては、外部から取得した番組情報をもとに放送信号を番組単位の音声データに分けて録音するようにした場合について述べたが、本発明はこれに限らず、例えば、放送信号の音量レベルや放送信号を周波数解析した結果などをもとに放送信号を曲単位の音声データに分けて録音するようにしてもよいし、ユーザに設定された所定時間（例えば１０分）単位の音声データに分けて録音するようにしてもよい。つまり放送信号を所定単位の音声データに分けて録音するための種々の情報を利用して、放送信号を所定単位の音声データに分けて録音するようにしてもよい。
【０１４４】
さらに上述の実施の形態においては、音声入力端子４４から入力される音声信号の無音部分を曲の境目として音声信号を曲単位の音声データに分けて録音するようにした場合について述べたが、本発明はこれに限らず、例えば、音声信号の音量レベルや音声信号を周波数解析した結果などをもとに音声信号を曲単位の音声データに分けて録音するようにしてもよいし、ユーザに設定された所定時間（例えば１０分）単位の音声データに分けて録音するようにしてもよい。つまり音声信号を所定単位の音声データに分けて録音するための種々の情報を利用して、音声信号を所定単位の音声データに分けて録音するようにしてもよい。
【０１４５】
さらに上述の実施の形態のうちの一つの形態が記録再生装置１３に実装されていてもよく、また、上述の実施の形態のうちの全て、或いはその一部が、記録再生装置１３に実装されていても構わない。ここで、上述の第１の実施の形態によるダウンロードの自動記録転送機能と上述の第３の実施の形態によるリッピングの自動記録転送機能とが記録再生装置１３に実装されていて、ダウンロードの予約情報に示されるダウンロード開始時刻と、リッピングの予約情報に示されるリッピング開始時刻とがほぼ同時刻（同時刻でもよい）に設定されているような場合、記録再生装置１３は、例えば、ダウンロードが完了してからリッピングを開始するようにする。すなわち、記録再生装置１３は、ダウンロードが完了した最後の音声データの転送と、ＣＤ４５に記録されている１トラック目の音声データのリッピングとを同時に並列処理させるようにする。こうすることで、逐次的に音声データのダウンロード及び転送とリッピング及び転送の処理を行う場合と比して、その処理時間を短縮することができる。
【０１４６】
また一方で、上述の第３の実施の形態によるリッピングの自動記録転送機能と放送録音の自動記録転送機能とが記録再生装置１３に実装され、リッピングの予約情報に示されるリッピング開始時刻が、放送録音の予約情報に示される放送録音開始時刻とほぼ同時刻に設定されているような場合、記録再生装置１３は、設定された放送録音開始時刻に実行する必要がある放送録音が完了してからリッピングを開始するようにする。すなわち、記録再生装置１３は、録音が完了した最終番組の音声データの転送と、ＣＤ４５に記録されている１トラック目の音声データのリッピングとを同時に並列処理させるようにする。こうすることで、記録再生装置１３は、逐次的に音声データの録音及び転送とリッピング及び転送の処理を行う場合と比して、その処理時間を短縮することができる。また、リッピング中に放送録音開始時刻になった場合、記録再生装置１３は、一旦リッピングを中断して、放送録音を開始し、放送録音が完了してからリッピングを再開するようにしてもよい。このように、記録再生装置１３は、放送録音のような設定された時刻に実行する必要がある処理を優先的に処理することで、ユーザが所望する音声データを確実に記録して転送することができる。
【０１４７】
ちなみに、このように、複数の自動記録転送機能を記録再生装置１３に実装するようにした場合、記録再生装置１３が、例えば、自動記録転送機能ごとの複数の予約情報を生成するようにしてもよいし、これら複数の予約情報をまとめた予約情報を生成するようにしてもよい。ここで、自動記録転送機能ごとの複数の予約情報をまとめた予約情報には、例えば、ダウンロード、ポッドキャスティング、リッピング、放送録音、入力音声録音のうちのどの自動記録転送を実行するのかを示す機能識別情報と、その自動記録転送を実行する時刻（ポッドキャスティングの場合は取得要求を送る間隔）とが含まれるようにすればよい。さらに、自動記録転送機能ごと、または機能識別情報ごとに優先度を設定するようにして、記録再生装置１３が、この優先度の高い順に各自動記録転送を実行するようにしてもよい。
【０１４８】
さらに上述の実施の形態においては、情報処理装置としての記録再生装置１３を、ＣＰＵ３０、ハードディスクドライブ３１、ＲＯＭ３２、ＲＡＭ３３、操作キー３４、ネットワークインタフェース３５、ＣＤドライブ３６、音声処理モジュール３７、表示コントローラ３８、及びＵＳＢインタフェース３９、ディスプレイ４１、スピーカ１６、チューナ４３、音声入力端子４４で構成するようにした場合について述べたが、本発明はこれに限らず、同様の機能を有するのであれば、この他種々の構成で、記録再生装置１３を構成するようにしてもよい。
【０１４９】
ちなみに、図１に示した記録転送装置１の記録媒体２は図４に示した記録再生装置１３のハードディスクドライブ３１に相当し、記録転送装置１の転送部５（図１）は記録再生装置１３のＵＳＢインタフェース３９（図４）に相当し、記録転送装置１の予約情報生成部３及び記録開始部４（図１）は記録再生装置１３のＣＰＵ３０（図４）に相当するものである。また図１に示した外部機器は、携帯型再生装置１４に相当するものである。
【産業上の利用可能性】
【０１５０】
本発明は、記録した映像データや音声データを携帯型再生装置に転送するパーソナルコンピュータやオーディオコンポなどで広く利用することができる。
【図面の簡単な説明】
【０１５１】
【図１】記録転送装置の概要を示す略線図である。
【図２】記録転送システムの構成を示す略線図である。
【図３】音楽配信サーバの構成を示す略線図である。
【図４】記録再生装置の構成を示す略線図である。
【図５】携帯型再生装置の構成を示す略線図である。
【図６】ダウンロード及び転送の並列処理を示す略線図である。
【図７】自動記録転送処理手順を示すフローチャートである。
【図８】第２の実施の形態による自動記録転送処理手順を示すシーケンスチャートである。
【図９】図８の自動記録転送処理手順を示すシーケンスチャートに続くシーケンスチャートである。
【図１０】第３の実施の形態によるリッピングの場合の自動記録転送処理手順を示すフローチャートである。
【図１１】第３の実施の形態による放送録音の場合の自動記録転送処理手順を示すフローチャートである。
【図１２】第３の実施の形態による入力音声録音の場合の自動記録転送処理手順を示すフローチャートである。
【符号の説明】
【０１５２】
１……記録転送装置、２……記録媒体、３……予約情報生成部、４……記録開始部、５……転送部、１０……記録転送システム、１１……音楽配信サーバ、１２……ネットワーク、１３……記録再生装置、１４……携帯型再生装置、２０、３０、５０……ＣＰＵ、２１、３１、５１……ハードディスクドライブ、２４、３５……ネットワークインタフェース、３４、５５……操作キー、３９、５４…ＵＳＢインタフェース。
【図１】
2007213772.tif 000003
【図２】
2007213772.tif 000004
【図３】
2007213772.tif 000005
【図４】
2007213772.tif 000006
【図５】
2007213772.tif 000007
【図６】
2007213772.tif 000008
【図７】
2007213772.tif 000009
【図８】
2007213772.tif 000010
【図９】
2007213772.tif 000011
【図１０】
2007213772.tif 000012
【図１１】
2007213772.tif 000013
【図１２】
2007213772.tif 000014